(57)【要約】      （修正有）【課題】効果的な物質の放出を可能とする放出装置を提供する。【解決手段】液体から物質を放出するための放出装置は、使用時に液体を収容する放出セル（2）を有する。セル（2）は、セル内で１以上の面において液体と接触するように配置され、セルの開口において液体のメニスカスのための所定位置を規定する突出部（3）を有する。セル内で、メニスカスの所定位置に対してセルの内側の位置に放出電極（6）が配置される。【選択図】図２
2006256338.tif 000002
【特許請求の範囲】
【請求項１】
液体から物質を放出する放出装置において、
使用時において液体を収容する放出セルであって、セル内に配置されると共にセルの開口において液体のメニスカスのための所定位置を規定する突出部を有するセルと、及び
セル内で、前記所定位置に対してセルの内側の位置に配置される放出電極と、を備える装置。
【請求項２】
前記突出部は、１つ以上の面において液体と接触するように配置される請求項１に記載の装置。
【請求項３】
液体のメニスカスのための所定位置を規定する前記突出部は、実質的に三角形である請求項１又は２に記載の装置。
【請求項４】
前記セルは分離壁間に規定される請求項１に記載の装置。
【請求項５】
各セルは、各々が分離体の外面に近接して延びる一組のリムを有し、液体はセルのリムの一つに沿った通路内を放出位置まで流れ、次に他のリムに沿って放出位置から離れるように流れる請求項４に記載の装置。
【請求項６】
メニスカスの所定位置は、実質的に矩形の絶縁分離体によっても部分的に規定される請求項１乃至３のいずれか１つに記載の装置。
【請求項７】
放出電極の一部も、開口から離隔した頂部までテーパー状の三角形状を有するが、三角形の分離体の先端部までは延びておらず、液体のメニスカスの所定位置の背後に位置する請求項１乃至６のいずれか１つに記載の装置。
【請求項８】
複数の前記放出セルを有する請求項１乃至７のいずれか１つに記載の装置。
【発明の詳細な説明】
【技術分野】
【０００１】
本発明は、WO-A-93-11866、PCT/GB95/01215及びWO-A-94-18011に記載されたものと同一又類似の技術を利用するプリンタの電極に関する。
【背景技術】
【０００２】
このタイプの装置から効果的な放出を達成するためには、放出すべき物質を含むキャリア液又は支持液が放出位置の先端へ向かって可能な限り前方に延びることが望ましい。
【発明の開示】
【発明が解決しようとする課題】
【０００３】
本発明の目的は、効果的な物質の放出を可能する放出装置を提供することにある。
【課題を解決するための手段】
【０００４】
本発明によれば、液体から物質を放出する放出装置が提供され、その装置において、使用時において液体を収容する放出セルであって、セル内に配置されると共にセルの開口において液体のメニスカスのための所定位置を規定する突出部を有する放出セルと、及び、セル内で、前記所定位置に対してセルの内側の位置に配置される放出電極と、を備える。
【０００５】
突出部は、１つ以上の面において液体と接触するように配置することができる。
【０００６】
液体のメニスカスのための所定位置を規定する手段は、好適には実質的に三角形の絶縁分離体である。
【０００７】
分離体をこの形状に構成することにより、キャリア液のメニスカスが円筒状のデザインのセルの場合よりも前方に延びることが分かっている。
【０００８】
好ましくは、放出電極の一部も、開口から離隔した頂部までテーパー形状である三角形を有するが、分離体の先端部までは延びておらず、液体のメニスカスの所定位置の背後に位置する。
【０００９】
代替的構成においては、分離体間のセルは内壁によっても規定され、それにより各セルは各々が分離体の外面の一つに沿って延びる一組のリムを有する。液体はセルのリムの一つに沿った通路内を放出位置まで流れ、次に他のリムに沿って放出位置から離れるように流れる。
【００１０】
別の代替的構成においては、メニスカスの所定位置を規定する手段は、実質的に三角形の絶縁分離体及び実質的に矩形の絶縁分離体を有する。
【００１１】
好ましくは、この構成においては、分離体間のセルは内壁によっても規定され、それにより各セルは液体が流れるチャネルを形成する。放出位置の三角形の分離体は頂部を有し、その形状はメニスカスの所定位置を規定する。
【発明を実施するための最良の形態】
【００１２】
本発明に従う電極を含むプリンタの一例を添付図面を参照して説明する。
【００１３】
プリントヘッド１は、上記の国際特許出願に記載された方法で動作するように設計され、本例では４個の平行なセル２を有するものとして図示され、それらセル２は三角形の分離壁３により相互に分離され、使用時には、下方の基板上に画像を形成するために使用する粒子状着色物質のキャリア液４が各セル２の内部を流れる。動作メカニズムは、上記ＰＣＴ出願に記載されており、ここではさらに詳細な説明は行わない。
【００１４】
各セル２の後方部は側壁５により閉鎖され、その側壁５は本例ではセル２の背後にチャンバー（図示せず）を規定する。プリントヘッドの端部はテーパー状の壁部８により形成される。各セル２は開口を有する先端又は前方部を有し、その内部には放出電極６の前方部６’が延び、各放出電極は図１に最もよく示すように三角形である。
【００１５】
図２は、キャリア液のメニスカス７の位置決めを示し、メニスカスの背後における各セル内の電極先端部６’の位置を示す。
【００１６】
分離壁３の前端部の三角形状により、分離体が平坦又は直線的な端部を前方に有する場合よりさらに前方へ各メニスカス７が延びることを許容し、これはキャリア液からの物質の放出を改善する。
【００１７】
図３は代替的実施形態を示し、それにおいては矩形の分離帯１０の間に形成されたセル２が通し状に形成される。セル内の放出位置に形成される三角形の分離帯９は、キャリア液のメニスカスをセルの面から所定位置まで突出させる。セル２の壁部上に形成される電極１１は、この所定位置の背後に位置する。
【００１８】
図３は単一のセルを示すが、それは接近した複数のセルが使用可能であることを意図することに留意すべきである。
【００１９】
他の例を図４乃至６に示す。図４は、アレイタイプのプリントヘッド１の一部を示し、そのプリントヘッドは、合成プラスチック材料又はセラミックなどの誘電体材料の本体２を有する。一連の溝３が機械加工により本体２に設けられ、介在する板状のランド４を残している。溝３の各々は、該溝３の逆の端部に配置されたインク入口及びインク出口（図示はしないが、矢印I及びOで示す）を有し、それにより、（我々の先の出願に記載されるように）放出されるべき物質を運ぶ液体インクが溝内を通過し、使用後の液体が排出される。
【００２０】
隣接する溝３の各ペアはセル５を規定し、溝３のペアの間の板状ランド又は分離体４は物質の放出位置を規定すると共に放出直立部６、６’を有する。図面では２つのセル５が示され、左側のセル５は略三角形の放出直立部６を有し、右側のセル５は円錐形の放出直立部を有する。各セル５は、板状ランド４の一つにより形成されるセル分離体７により分離され、各分離体７の角は図示のように形成され又は面取りされ、面取りされた面８により規定されるセルの外側を超えて放出直立部がセルの外側へ突き出るように面８を設ける。円錐形の放出直立部６’は端部セル５内で使用されて電界により生じる末端効果（end effect）を減少させ、その電界は、放出直立部６、６’（即ち、各セル分離体の内面）に対向する板状ランド４の面上の金属面として提供される放出電極９に印加される電圧により生じる。図６から分かるように、放出電極９はランド４の側面及び溝３の底面１０を覆うように延在する。放出電極９の正確な範囲は、プリンタの特有の設計及び目的に依存する。
【００２１】
図５は、プリンタのサイドカバーの２つの代替的形状を示し、その第１は単純な直線端部のカバー１１であり、図の上部に示されるように直線に沿って溝３の側部を閉鎖する。第２のタイプのカバー１２が図の下部に示され、そのカバーも溝３を閉鎖しているが、溝に対して整列した一連の端部スロット１３を有する。このタイプのカバーの構造は、使用時に形成される液体メニスカス位置の規定を促進するために使用することができ、どのような形状であれ、そのカバーを使用して、放出プロセスを促進するために放出電極及び／又は第２又は付加的電極を設けることができる面を提供する。
【００２２】
また、図５は、代替的形状の放出電極９を示し、それは、放出直立部６、６’を支持するランド４の面上に付加的な金属面を有する。これは、電荷の放出を助け、電界の前方成分を改善する。
【００２３】
図６は、図４のセル５の一つの一側面からの部分的断面を示し、第２電極１９がセル分離体ランド４の面取り面８上に配置され、それゆえ実質的に放出直立部に並んで配置された状態を示す。更なる実施形態（図示せず）においては、第２電極が、少なくとも部分的にセル分離体ランド４の面上（及び、それゆえ放出直立部の後方）に形成され、放出電極もその面上にあるが、そこから分離している。
【図面の簡単な説明】
【００２４】
【図１】プリントヘッドの一部の等角正面図である。
【図２】図１のプリントヘッドの一部の側面図である。
【図３】プリントヘッドの一部の代替的実施形態の等角正面図である。
【図４】本発明の放出装置を含む別のプリントヘッドの一部の部分的斜視図である。
【図５】放出装置の別の代替的形態を示す、図４と同様の図である。
【図６】図４のセルの部分的断面図である。
【図１】
2006256338.tif 000003
【図２】
2006256338.tif 000004
【図３】
2006256338.tif 000005
【図４】
2006256338.tif 000006
【図５】
2006256338.tif 000007
【図６】
2006256338.tif 000008